(57)【特許請求の範囲】
【請求項１】
撮像装置の本体に設けられる電池収納部と、
グリップベルトを通すための穴部を備え、ブリッジ状に前記電池収納部と一体に形成されたベルト取付部と、
前記ベルト取付部を覆うように前記ベルト取付部と嵌合し、前記ベルト取付部と嵌合した状態で前記グリップベルトを通すことが可能となるように前記ベルト取付部の前記穴部と繋がる穴部を備えたベルト取付部カバー部が形成され、前記撮像装置の外観の一部を構成するカバー部材とを有することを特徴とする撮像装置。
【請求項２】
前記電池収納部は、前記本体の２面以上を覆う外装カバーと一体的に形成されていることを特徴とする請求項１記載の撮像装置。
【請求項３】
前記ベルト取付部カバー部はコ字状部分を備え、前記コ字状部分にブリッジ状の前記ベルト取付部が嵌合することを特徴とする請求項１又は２に記載の撮像装置。
【請求項４】
前記電池収納部の前記ベルト取付部の基部には補強のための肉盛り部が形成されることを特徴とする請求項１乃至３のいずれか１項に記載の撮像装置。
【請求項５】
前記ベルト取付部カバー部は、前記ベルト取付部に締結されることで固定されることを特徴とする請求項１乃至４のいずれか１項に記載の撮像装置。
【発明の詳細な説明】
【技術分野】
【０００１】
本発明は、グリップベルトを取り付けるためのベルト取付部を有する撮像装置に関する。
【背景技術】
【０００２】
近年のデジタルビデオ等の撮像装置においては、小型化が進む一方で、部品点数を増やすことなく撮像装置の本体の強度を向上させたものが開発されている。撮像装置の本体を把持するためのグリップベルトの取付構造に関しても同様で、部品点数を増やすことなく強度を向上させたグリップベルト取付構造が検討されてきている。
【０００３】
図６（ａ）は、一般的なグリップベルト取付構造が採用された従来の撮像装置の斜視図である。図６（ｂ）は、グリップカバーの後半部の斜視図である。撮像装置の本体２００は、グリップカバー１１４を有する。グリップカバー１１４には、グリップベルト（図示せず）を取り付けるためのグリップベルト取付部１１０が形成される。グリップベルト取付部１１０はグリップカバー１１４の一部として構成されている。グリップベルト取付部１１０には、グリップベルトからの荷重が直接加わるため、十分な強度が要求される。
【０００４】
図６（ｃ）は、別のグリップベルト取付構造が採用された従来の撮像装置の斜視図である。この本体２００においても、グリップベルト取付部１１０はグリップカバー１１４の一部として構成されている。グリップベルト取付部１１０には、強度を増すために肉厚が増やされ、その一方で成形不良を防止するための肉抜き部１１０ａが施されている。
【０００５】
また、特許文献１の撮像装置では、グリップベルト取付部に金属が使用された例が示されている。
【先行技術文献】
【特許文献】
【０００６】
【特許文献１】特開２０１０−１３９９６９号公報
【発明の概要】
【発明が解決しようとする課題】
【０００７】
しかしながら、図６（ａ）、（ｂ）に示すグリップベルト取付構造では、グリップベルト取付部１１０の強度が不足し、グリップベルト取付部１１０に加わる引っ張りの荷重に耐えられない場合があるという問題があった。
【０００８】
一方、図６（ｃ）に示すグリップベルト取付構造では、グリップベルト取付部１１０の肉厚を増して強度が向上しているため、グリップベルト取付部１１０に引っ張りの荷重を加えた場合でも破断にまでは至らない。しかし、グリップベルト取付部１１０に肉抜きが施されているため外観としての見栄えを損なうといった問題があった。
【０００９】
また、特許文献１のグリップベルト取付構造では、グリップベルト取付部に金属が使用されているため強度は確保されるが、部品点数が増加するという問題があった。
【００１０】
本発明は上記従来技術の問題を解決するためになされたものであり、その目的は、部品点数を増加させることなく、また見栄えを損なうことなく、グリップベルト取付部の強度を効果的に高めることができる撮像装置を提供することにある。
【課題を解決するための手段】
【００１１】
上記目的を達成するために本発明は、撮像装置の本体に設けられる電池収納部と、グリップベルトを通すための穴部を備え、ブリッジ状に前記電池収納部と一体に形成されたベルト取付部と、前記ベルト取付部を覆うように前記ベルト取付部と嵌合し、前記ベルト取付部と嵌合した状態で前記グリップベルトを通すことが可能となるように前記ベルト取付部の前記穴部と繋がる穴部を備えたベルト取付部カバー部が形成され、前記撮像装置の外観の一部を構成するカバー部材とを有することを特徴とする。
【発明の効果】
【００１２】
本発明によれば、部品点数を増加させることなく、また見栄えを損なうことなく、グリップベルト取付部の強度を効果的に高めることができる。
【図面の簡単な説明】
【００１３】
【図１】本発明の一実施の形態に係る撮像装置の外観斜視図である。
【図２】本体に配設される外装カバーの斜視図である。
【図３】本体に配設される外装カバーの斜視図である。
【図４】グリップカバーの斜視図である。
【図５】図１のＸ方向の水平断面図である。
【図６】一般的なグリップベルト取付構造が採用された従来の撮像装置の斜視図、グリップカバーの後半部の斜視図、別のグリップベルト取付構造が採用された従来の撮像装置の斜視図である。
【発明を実施するための形態】
【００１４】
以下、本発明の実施の形態を図面を参照して説明する。
【００１５】
図１は、本発明の一実施の形態に係る撮像装置の外観斜視図である。
【００１６】
この撮像装置は、一例としてデジタルビデオカメラとして構成され、このカメラの本体１００の前部にレンズ部２１が設けられ、その反対側である後部に電池収納部１１が設けられる。電池収納部１１は後側に開口する凹部を有する箱型に形成され、この凹部に、撮像装置に電源を供給する不図示の電池（乃至バッテリ）が後方から収納される。本体１００の右側部に撮像装置の外観の一部を構成するカバー部材としてのグリップカバー１４が配設される。グリップカバー１４は樹脂で形成され、グリップベルト取付部カバー部１５が形成される。
【００１７】
本体１００の前部右部には前側のグリップベルト取付部１９が設けられる。本体１００の後部右部において、グリップベルト取付部カバー部１５に覆われる位置には、後述する後側のグリップベルト取付部１０が配置される。前側のグリップベルト取付部１９と後側のグリップベルト取付部１０とに不図示のグリップベルトを取り付けて、本体１００を把持することができる。
【００１８】
図２、図３（ａ）、（ｂ）は、本体１００に配設される外装カバーの斜視図である。特に図３（ａ）は外装カバーを図２のＺ方向から見た斜視図である。
【００１９】
この外装カバーＣＶは、樹脂材料で形成され、電池収納部１１、第１側面カバー１６及び第２側面カバー１７が一体的に形成されている。第１側面カバー１６は本体１００の左側面を覆い、第２側面カバー１７は本体１００の底面を覆う。すなわち、電池収納部１１はそれ自身が箱型に形成されると共に、本体１００の直交する２面を覆うもの（側面カバー１６、１７）と一体的に形成されている。
【００２０】
また、電池収納部１１には、グリップベルトを通して係止するための穴部１０ａを有したブリッジ状のグリップベルト取付部１０が一体的に突出形成されている。グリップベルト取付部１０には締結部１３が形成されている。
【００２１】
図２に示すように、電池収納部１１においてグリップベルト取付部１０の根本部分（基部）には、補強のための肉盛り部１２が一体的に形成されている。電池収納部１１は箱型で形成されているため強度があり、結果として、電池収納部１１に形成されるグリップベルト取付部１０は頑丈な構造となる。しかも、電池収納部１１における凹部の底板部は左右及び上下方向に略平行であり、第１側面カバー１６は前後及び上下方向に略平行、第２側面カバー１７は略水平であって互いに直交するため、電池収納部１１は３方向に強固な構造となっている。そのため、電池収納部１１で形成されているグリップベルト取付部１０は強度が確保された構造となっている。
【００２２】
図４は、グリップカバー１４の斜視図である。図５は、図１のＸ方向の水平断面図である。
【００２３】
グリップベルト取付部カバー部１５には、締結部１３（図２、図３（ａ））に対応するグリップカバー締結部１８が設けられている（図４）。グリップベルト取付部カバー部１５の断面はコ字状に形成される（図５）。グリップカバー１４に鉛直方向に形成されるグリップベルト取付部カバー部１５により、穴部１５ａが生じる。
【００２４】
グリップベルト取付部カバー部１５をグリップベルト取付部１０に被せるように、本体１００にグリップカバー１４を右方から配設し、グリップカバー締結部１８と締結部１３とを締結する。すると、グリップベルト取付部カバー部１５のコ字状部分にグリップベルト取付部１０が嵌合される（図５）。締結部１３はグリップベルト取付部１０に一体的に形成されているため強度がある。従って、グリップカバー締結部１８と締結部１３との締結、及び、グリップベルト取付部カバー部１５のコ字状部分とグリップベルト取付部１０との嵌合という構造と相まって、グリップベルト取付部カバー部１５についても強度が確保される。
【００２５】
また、グリップベルト取付部カバー部１５は、グリップベルト取付部１０を外側から覆う構造となっていることから、外観を構成する役目を果たしている。グリップベルト取付部１０は機能部でもある電池収納部１１と一体的に形成されているため塗装ができず、外観には適さない。しかし、機能部を持たず塗装可能なグリップカバー１４をグリップベルト取付部１０の上に被せることで、グリップベルト取付部１０が隠れるので、外観を損なうことがない。
【００２６】
完成後の撮像装置においては、グリップベルト取付部１０の穴部１０ａとグリップベルト取付部カバー部１５の穴部１５ａとが係止穴となるので、この係止穴にグリップベルトを取り付けることができる。
【００２７】
本実施の形態によれば、グリップベルト取付部１０と電池収納部１１とを一体的に形成すると共に、グリップカバー１４の一部であるグリップベルト取付部カバー部１５をグリップベルト取付部１０に被せる構造とした。これにより、見栄えを損なうことなくグリップベルトの取付部の強度を効果的に高めることができる。また、部品点数を増やすこともない。
【００２８】
また、電池収納部１１は箱型に形成され、しかも本体１００の２面以上を覆う外装カバーＣＶと一体的に形成されるので、グリップベルト取付部１０の強度を一層高めることができる。グリップベルト取付部１０の根本部分に肉盛り部１２が施されているので、グリップベルト取付部１０の強度がさらに高まっている。
【００２９】
なお、グリップベルト取付部１０の強度を高める観点からは、電池収納部１１に連接して一体的に形成される側面カバーが３枚以上あってもよい。すなわち、外装カバーＣＶは本体１００の２面以上を覆うものであればよく、互いに直交している側面カバーが含まれることが好ましい。
【００３０】
なお、本発明が適用される撮像装置は、ビデオカメラに限られず、静止画を撮影可能な撮像装置であってもよい。
【００３１】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３２】
１０  グリップベルト取付部
１１  電池収納部
１２  肉盛り部
１４  グリップカバー
１５  グリップベルト取付部カバー部
１００  本体
ＣＶ  外装カバー
【図１】
0005901271.tif 000002
【図２】
0005901271.tif 000003
【図３】
0005901271.tif 000004
【図４】
0005901271.tif 000005
【図５】
0005901271.tif 000006
【図６】
0005901271.tif 000007